(57)【要約】【課題】ドライブシャーシの振動を長期にわたって押さえること。【解決手段】上動ｆするドライブシャーシ６の前部を押さえるための左右一対の押さえ片１４，１５が筐体の前部に一体突設され、該両押さえ片１４，１５のうちの左側押さえ片１４が弾性変位可能に形成されてその先端に突起部２３が突設され、該突起部２３の内側面が左方向ｃに向かって所定角度αで下向き外広がり状に傾斜する傾斜状押さえ面２３ａとされており、上動ｆするドライブシャーシ６の前部側縁６ｂをその傾斜状押さえ面２３ａに弾性的に接触させるように形成した。【選択図】        図４
2005025885.tif 000002
【特許請求の範囲】
【請求項１】
トレイを前後進可能に支持する筐体が設けられ、ターンテーブル付きスピンドルモータ及び光ピックアップを搭載したドライブシャーシの基端部に突設した左右一対の枢支軸を筐体の後部に設けた軸受に嵌入させると共に、該ドライブシャーシの先端部に突設したカム軸を筐体の前部に前後進方向とは直交する左右方向にスライド可能に配置したカム板のカム孔に嵌入させており、アンローディング信号に基づいて、カム板を一方向にスライドさせてドライブシャーシを両枢支軸回りで下動させた後にトレイを前進させ、ローディング信号に基づいて、トレイを後進させた後にカム板を他方向にスライドさせてドライブシャーシを両枢支軸回りで上動させるようにしたディスクプレーヤにおいて、上動するドライブシャーシの前部を押さえるための左右一対の押さえ片が筐体の前部に一体突設され、該両押さえ片のうちの一方が弾性変位可能に形成されてその先端に突起部が突設され、該突起部の内側面が側方に向かって所定角度で下向き外広がり状に傾斜する傾斜状押さえ面とされており、上動するドライブシャーシの前部側縁をその傾斜状押さえ面に弾性的に接触させるように形成し、突起部の後端面が前進方向に向かって所定角度で下向き外広がり状に傾斜する傾斜状ガイド面とされており、筐体に組み込んだドライブシャーシの前縁によりその傾斜状ガイド面を弾性的に押し上げるようにしたことを特徴とするディスクプレーヤ。
【請求項２】
トレイを前後進可能に支持する筐体が設けられ、ターンテーブル付きスピンドルモータ及び光ピックアップを搭載したドライブシャーシの基端部に突設した左右一対の枢支軸を筐体の後部に設けた軸受に嵌入させると共に、該ドライブシャーシの先端部に突設したカム軸を筐体の前部に前後進方向とは直交する左右方向にスライド可能に配置したカム板のカム孔に嵌入させており、アンローディング信号に基づいて、カム板を一方向にスライドさせてドライブシャーシを両枢支軸回りで下動させた後にトレイを前進させ、ローディング信号に基づいて、トレイを後進させた後にカム板を他方向にスライドさせてドライブシャーシを両枢支軸回りで上動させるようにしたディスクプレーヤにおいて、上動するドライブシャーシの前部を押さえるための左右一対の押さえ片が筐体の前部に一体突設され、該両押さえ片が弾性変位可能に形成されてその先端に突起部が突設され、該各突起部の内側面が側方に向かって所定角度で下向き外広がり状に傾斜する傾斜状押さえ面とされており、上動するドライブシャーシの前部両側縁をその両傾斜状押さえ面に弾性的に接触させるように形成し、前記各突起部の後端面が前進方向に向かって所定角度で下向き外広がり状に傾斜する傾斜状ガイド面とされており、筐体に組み込んだドライブシャーシの前縁によりその傾斜状ガイド面を弾性的に押し上げるようにしたことを特徴とするディスクプレーヤ。
【請求項３】
トレイを前後進可能に支持する筐体が設けられ、ターンテーブル付きスピンドルモータ及び光ピックアップを搭載したドライブシャーシの基端部に突設した左右一対の枢支軸を筐体の後部に設けた軸受に嵌入させると共に、該ドライブシャーシの先端部に突設したカム軸を筐体の前部に前後進方向とは直交する左右方向にスライド可能に配置したカム板のカム孔に嵌入させており、アンローディング信号に基づいて、カム板を一方向にスライドさせてドライブシャーシを両枢支軸回りで下動させた後にトレイを前進させ、ローディング信号に基づいて、トレイを後進させた後にカム板を他方向にスライドさせてドライブシャーシを両枢支軸回りで上動させるようにしたディスクプレーヤにおいて、上動するドライブシャーシの前部を押さえるための左右一対の押さえ片が筐体の前部に一体突設され、該両押さえ片の一方が弾性変位可能に形成されてその先端に突起部が突設され、該突起部の下面にカム軸に対向して凹部が形成されると共に、該凹部の両内側面が上すぼまり状の傾斜状押さえ面とされており、上動するドライブシャーシのカム軸を凹部に嵌入させて、該カム軸の外周面を両傾斜状押さえ面に接触させるように形成したことを特徴とするディスクプレーヤ。
【請求項４】
トレイを前後進可能に支持する筐体が設けられ、ターンテーブル付きスピンドルモータ及び光ピックアップを搭載したドライブシャーシの基端部に突設した左右一対の枢支軸を筐体の後部に設けた軸受に嵌入させると共に、該ドライブシャーシの先端部に突設したカム軸を筐体の前部に前後進方向とは直交する左右方向にスライド可能に配置したカム板のカム孔に嵌入させており、アンローディング信号に基づいて、カム板を一方向にスライドさせてドライブシャーシを両枢支軸回りで下動させた後にトレイを前進させ、ローディング信号に基づいて、トレイを後進させた後にカム板を他方向にスライドさせてドライブシャーシを両枢支軸回りで上動させるようにしたディスクプレーヤにおいて、上動するドライブシャーシの前部を押さえるための左右一対の押さえ片が筐体の前部に一体突設され、該両押さえ片の一方が弾性変位可能に形成されてその先端に突起部が突設され、該突起部の外周面が下すぼまりテーパ状のテーパ状押さえ面とされ、その突起部に対向してドライブシャーシの上面に嵌合孔が形成されており、上動するドライブシャーシの嵌合孔を突起部に嵌入させて、該嵌合孔の内周縁を突起部のテーパ状押さえ面に接触させるように形成したことを特徴とするディスクプレーヤ。
【請求項５】
トレイを前後進可能に支持する筐体が設けられ、ターンテーブル付きスピンドルモータ及び光ピックアップを搭載したドライブシャーシの基端部に突設した左右一対の枢支軸を筐体の後部に設けた軸受に嵌入させると共に、該ドライブシャーシの先端部に突設したカム軸を筐体の前部に前後進方向とは直交する左右方向にスライド可能に配置したカム板のカム孔に嵌入させており、アンローディング信号に基づいて、カム板を一方向にスライドさせてドライブシャーシを両枢支軸回りで下動させた後にトレイを前進させ、ローディング信号に基づいて、トレイを後進させた後にカム板を他方向にスライドさせてドライブシャーシを両枢支軸回りで上動させるようにしたディスクプレーヤにおいて、上動するドライブシャーシの前部を押さえるための左右一対の押さえ片が筐体の前部に一体突設され、該両押さえ片またはその一方が弾性変位可能に形成されてその先端に突起部が突設されると共に、該突起部に防振機能が付加されており、上動するドライブシャーシの前部を防振機能を介して前記突起部に係合させるようにしたことを特徴とするディスクプレーヤ。
【請求項６】
前記防振機能が、突起部の内側面を側方に向かって所定角度で下向き外広がり状に傾斜させて形成した傾斜状押さえ面からなり、上動するドライブシャーシの前部側縁をその傾斜状押さえ面に弾性的に接触させるようにしたことを特徴とする請求項５に記載のディスクプレーヤ。
【請求項７】
前記突起部の後端面が前進方向に向かって所定角度で下向き外広がり状に傾斜する傾斜状ガイド面とされており、筐体に組み込んだドライブシャーシの前縁によりその傾斜状ガイド面を弾性的に押し上げるようにしたことを特徴とする請求項５または６に記載のディスクプレーヤ。
【請求項８】
前記防振機能が、突起部の下面にカム軸に対向して凹部を形成し該凹部の両内側面を上すぼまり状に傾斜させて形成した傾斜状押さえ面からなり、上動するドライブシャーシのカム軸を凹部に嵌入させて、該カム軸の外周面を両傾斜状押さえ面に接触させるようにしたことを特徴とする請求項５に記載のディスクプレーヤ。
【請求項９】
前記防振機能が、突起部の外周面を下すぼまりテーパ状に形成したテーパ状押さえ面と、その突起部に対向してドライブシャーシの上面に形成した嵌合孔とからなり、上動するドライブシャーシの嵌合孔を突起部のテーパ状押さえ面に嵌合させるようにしたことを特徴とする請求項５に記載のディスクプレーヤ。
【発明の詳細な説明】
【０００１】
【発明の属する技術分野】
本発明は、ＣＤやＤＶＤなどの光ディスクや光磁気ディスク（以下、ディスクと略称する）の再生や記録または消去を行うためのディスクプレーヤに関する。
【０００２】
【従来の技術】
従来、ディスクプレーヤの技術として特許文献１などに記載したものなどがあり、その一例を図８から図９に基づいて説明すると、これは、トレイ１を前後進ａ，ｂ可能に支持する合成樹脂製筐体２が設けられ、ターンテーブル３付きスピンドルモータ４及び光ピックアップ５を搭載したドライブシャーシ６の基端部に突設した左右一対の枢支軸６ａを筐体２の後部に設けた軸受２ａに嵌入させると共に、該ドライブシャーシ６の先端部に突設した一対の固定カム軸７ａ，７ｂ及び可動カム軸７ｃを筐体２の前部に前後進ａ，ｂ方向とは直交する左右方向ｃ，ｄにスライド可能に配置したカム板８のカム孔８ａに嵌入させることにより、そのドライブシャーシ６が筐体２に枢支軸６ａ回りで上下動ｅ，ｆ可能に組み込まれている。なお、図９中、１０はターンテーブル３に対向して筐体２の上部に架設した天板部２ｂの中央収納部１１内に昇降可能に配置した磁石１２付きディスクホルダであって、トレイ１上のディスクＤをターンテーブル６とで挟持する〔図９（ａ）参照〕。
【０００３】
アンローディング動作を説明すると、図８実線及び図９（ａ）に示す状態からカム板８を右方向ｄにスライドさせることにより、各カム孔８ａ及び各カム軸７ａ〜７ｃを介してドライブシャーシ６を両枢支軸６ａ回りで下動ｅさせ〔図９（ｂ）参照〕、続いて、トレイ１を前進ａさせる。
【０００４】
ローディング動作は、上記とはほぼ逆の手順で、図９（ｂ）に示す状態からトレイ１を後進ｂさせた後にカム板８を左方向ｃにスライドさせて、各カム孔８ａ及び各カム軸７ａ〜７ｃを介してドライブシャーシ６を両枢支軸６ａ回りで上動ｆさせ〔図９（ａ）参照〕、トレイ１上のディスクＤをターンテーブル３とディスクホルダ１０とでチャッキングする。その後、スピンドルモータ４によりターンテーブル３を介してディスクＤを高速回転させ、該ディスクＤに記録されている情報を読み取る。
【０００５】
【特許文献１】
特開平１０−１４３９６４号公報
【０００６】
【発明が解決しようとする課題】
上記従来の構成では、スピンドルモータ４によりターンテーブル３を介してディスクＤを高速回転させる際に、該スピンドルモータ４の振動がドライブシャーシ６に伝達され、更に、ドライブシャーシ６の振動が光ピックアップ５に伝達されて、その光ピックアップ５によるトラックの追従が円滑に行われず、例えば再生画面にノイズが生じる。
【０００７】
そこで、筐体２の前部に押さえ片を突設し、上動するドライブシャーシの前部をその押さえ片の下面に圧接させ、これにより発生する押さえ力で該ドライブシャーシ６の振動を押さえることが考えられるが、これでは、押さえ片が上方に塑性変形して押し付け力が低下しやすく、比較的短期間でドライブシャーシ６の振動を押さえることが困難になる。
【０００８】
本発明は、上記欠点に鑑み、ドライブシャーシの振動を長期にわたって押さえることができるようにしたディスクプレーヤを提供することを目的としている。
【０００９】
【課題を解決するための手段】
上記目的を達成するため、請求項１に記載の発明は、トレイを前後進可能に支持する筐体が設けられ、ターンテーブル付きスピンドルモータ及び光ピックアップを搭載したドライブシャーシの基端部に突設した左右一対の枢支軸を筐体の後部に設けた軸受に嵌入させると共に、該ドライブシャーシの先端部に突設したカム軸を筐体の前部に前後進方向とは直交する左右方向にスライド可能に配置したカム板のカム孔に嵌入させており、アンローディング信号に基づいて、カム板を一方向にスライドさせてドライブシャーシを両枢支軸回りで下動させた後にトレイを前進させ、ローディング信号に基づいて、トレイを後進させた後にカム板を他方向にスライドさせてドライブシャーシを両枢支軸回りで上動させるようにしたディスクプレーヤにおいて、上動するドライブシャーシの前部を押さえるための左右一対の押さえ片が筐体の前部に一体突設され、該両押さえ片のうちの一方が弾性変位可能に形成されてその先端に突起部が突設され、該突起部の内側面が側方に向かって所定角度で下向き外広がり状に傾斜する傾斜状押さえ面とされており、上動するドライブシャーシの前部側縁をその傾斜状押さえ面に弾性的に接触させるように形成し、突起部の後端面が前進方向に向かって所定角度で下向き外広がり状に傾斜する傾斜状ガイド面とされており、筐体に組み込んだドライブシャーシの前縁によりその傾斜状ガイド面を弾性的に押し上げるようにしたことを特徴としている。
【００１０】
上記構成は第１の実施の形態（図１から図４参照）に対応するものであって、これによれば、ドライブシャーシを上動させスピンドルモータによりターンテーブルを介してディスクを高速回転させる際に、一方の押さえ片の側方に向かって所定角度で下向き外広がり状に傾斜する傾斜状押さえ面にドライブシャーシの前部側縁を弾性的に接触させており、例え一方の押さえ片が上方に塑性変形しても、前記傾斜状押さえ面とドライブシャーシの前部側縁との弾性的接触状態が維持されるので、そのドライブシャーシの振動を長期にわたって確実に押さえることができ、これによって、光ピックアップによるトラックの追従を精密に行わせて、例えばノイズの発生が無い高品質の画面を再生することができる。
【００１１】
また、ドライブシャーシの前縁により突起部の傾斜状ガイド面が弾性的に押し上げられ、該突起部がドライブシャーシの前進を阻害することがないので、そのドライブシャーシの組み込み作業を迅速容易に行うことができる。
【００１２】
更に、一方の押さえ片に若干の加工を施すだけで、傾斜状押さえ面及び傾斜状ガイド面を形成することができ、その加工に手間がかからず部品点数も増加しないから、経済的である。
【００１３】
請求項２に記載の発明は、トレイを前後進可能に支持する筐体が設けられ、ターンテーブル付きスピンドルモータ及び光ピックアップを搭載したドライブシャーシの基端部に突設した左右一対の枢支軸を筐体の後部に設けた軸受に嵌入させると共に、該ドライブシャーシの先端部に突設したカム軸を筐体の前部に前後進方向とは直交する左右方向にスライド可能に配置したカム板のカム孔に嵌入させており、アンローディング信号に基づいて、カム板を一方向にスライドさせてドライブシャーシを両枢支軸回りで下動させた後にトレイを前進させ、ローディング信号に基づいて、トレイを後進させた後にカム板を他方向にスライドさせてドライブシャーシを両枢支軸回りで上動させるようにしたディスクプレーヤにおいて、上動するドライブシャーシの前部を押さえるための左右一対の押さえ片が筐体の前部に一体突設され、該両押さえ片が弾性変位可能に形成されてその先端に突起部が突設され、該各突起部の内側面が側方に向かって所定角度で下向き外広がり状に傾斜する傾斜状押さえ面とされており、上動するドライブシャーシの前部両側縁をその両傾斜状押さえ面に弾性的に接触させるように形成し、前記各突起部の後端面が前進方向に向かって所定角度で下向き外広がり状に傾斜する傾斜状ガイド面とされており、筐体に組み込んだドライブシャーシの前縁によりその傾斜状ガイド面を弾性的に押し上げるようにしたことを特徴としている。
【００１４】
上記構成は第２の実施の形態（図５参照）に対応するものであって、これによれば、請求項１に記載の発明と同様の効果を得ることができ、特に、両押さえ片の傾斜状押さえ面によりドライブシャーシの前部を両側から挟み付けており、例え両押さえ片が上方に塑性変形しても、前記両傾斜状押さえ面とドライブシャーシの前部両側縁との弾性的接触状態が維持されるので、そのドライブシャーシの振動を長期にわたって一層確実に押さえることができる。
【００１５】
請求項３に記載の発明は、トレイを前後進可能に支持する筐体が設けられ、ターンテーブル付きスピンドルモータ及び光ピックアップを搭載したドライブシャーシの基端部に突設した左右一対の枢支軸を筐体の後部に設けた軸受に嵌入させると共に、該ドライブシャーシの先端部に突設したカム軸を筐体の前部に前後進方向とは直交する左右方向にスライド可能に配置したカム板のカム孔に嵌入させており、アンローディング信号に基づいて、カム板を一方向にスライドさせてドライブシャーシを両枢支軸回りで下動させた後にトレイを前進させ、ローディング信号に基づいて、トレイを後進させた後にカム板を他方向にスライドさせてドライブシャーシを両枢支軸回りで上動させるようにしたディスクプレーヤにおいて、上動するドライブシャーシの前部を押さえるための左右一対の押さえ片が筐体の前部に一体突設され、該両押さえ片の一方が弾性変位可能に形成されてその先端に突起部が突設され、該突起部の下面にカム軸に対向して凹部が形成されると共に、該凹部の両内側面が上すぼまり状の傾斜状押さえ面とされており、上動するドライブシャーシのカム軸を凹部に嵌入させて、該カム軸の外周面を両傾斜状押さえ面に接触させるように形成したことを特徴としている。
【００１６】
上記構成は第３の実施の形態（図６参照）に対応するものであって、これによれば、請求項１に記載の発明と同様の効果を得ることができ、特に、一方の押さえ片の上すぼまり状に傾斜させた両傾斜状押さえ面に対してドライブシャーシのカム軸を弾性的に接触させており、例え一方の押さえ片が上方に塑性変形しても、前記両傾斜状押さえ面とドライブシャーシのカム軸との弾性的接触状態が維持されるので、そのドライブシャーシの振動を長期にわたって確実に押さえることができる。
【００１７】
請求項４に記載の発明は、トレイを前後進可能に支持する筐体が設けられ、ターンテーブル付きスピンドルモータ及び光ピックアップを搭載したドライブシャーシの基端部に突設した左右一対の枢支軸を筐体の後部に設けた軸受に嵌入させると共に、該ドライブシャーシの先端部に突設したカム軸を筐体の前部に前後進方向とは直交する左右方向にスライド可能に配置したカム板のカム孔に嵌入させており、アンローディング信号に基づいて、カム板を一方向にスライドさせてドライブシャーシを両枢支軸回りで下動させた後にトレイを前進させ、ローディング信号に基づいて、トレイを後進させた後にカム板を他方向にスライドさせてドライブシャーシを両枢支軸回りで上動させるようにしたディスクプレーヤにおいて、上動するドライブシャーシの前部を押さえるための左右一対の押さえ片が筐体の前部に一体突設され、該両押さえ片の一方が弾性変位可能に形成されてその先端に突起部が突設され、該突起部の外周面が下すぼまりテーパ状のテーパ状押さえ面とされ、その突起部に対向してドライブシャーシの上面に嵌合孔が形成されており、上動するドライブシャーシの嵌合孔を突起部に嵌入させて、該嵌合孔の内周縁を突起部のテーパ状押さえ面に接触させるように形成したことを特徴としている。
【００１８】
上記構成は第４の実施の形態（図７参照）に対応するものであって、これによれば、請求項１に記載の発明と同様の効果を得ることができ、特に、一方の押さえ片のテーパ状押さえ面に対してドライブシャーシの嵌合孔を弾性的に嵌合させており、例え一方の押さえ片が上方に塑性変形しても、前記テーパ状押さえ面と嵌合孔内周縁との弾性的接触状態が維持されるので、そのドライブシャーシの振動を長期にわたって確実に押さえることができる。
【００１９】
請求項５に記載の発明は、トレイを前後進可能に支持する筐体が設けられ、ターンテーブル付きスピンドルモータ及び光ピックアップを搭載したドライブシャーシの基端部に突設した左右一対の枢支軸を筐体の後部に設けた軸受に嵌入させると共に、該ドライブシャーシの先端部に突設したカム軸を筐体の前部に前後進方向とは直交する左右方向にスライド可能に配置したカム板のカム孔に嵌入させており、アンローディング信号に基づいて、カム板を一方向にスライドさせてドライブシャーシを両枢支軸回りで下動させた後にトレイを前進させ、ローディング信号に基づいて、トレイを後進させた後にカム板を他方向にスライドさせてドライブシャーシを両枢支軸回りで上動させるようにしたディスクプレーヤにおいて、上動するドライブシャーシの前部を押さえるための左右一対の押さえ片が筐体の前部に一体突設され、該両押さえ片またはその一方が弾性変位可能に形成されてその先端に突起部が突設されると共に、該突起部に防振機能が付加されており、上動するドライブシャーシの前部を防振機能を介して前記突起部に係合させるようにしたことを特徴としている。
【００２０】
上記構成によれば、ドライブシャーシを上動させスピンドルモータによりターンテーブルを介してディスクを高速回転させる際に、両押さえ片またはその一方に付加した防振機能とドライブシャーシの前部との弾性的係合状態を維持して、スピンドルモータの高速回転によるドライブシャーシの振動を長期にわたって確実に押さえることができ、これによって、光ピックアップによるトラックの追従を精密に行わせて、例えばノイズの発生が無い高品質の画面を再生することができる。
【００２１】
また、押さえ片に若干の加工を施して防振機能を付加するだけでよく、その加工に手間がかからず部品点数も増加しないから、経済的である。
【００２２】
請求項６に記載の発明は、請求項５に記載の発明において、前記防振機能が、突起部の内側面を側方に向かって所定角度で下向き外広がり状に傾斜させて形成した傾斜状押さえ面からなり、上動したドライブシャーシの前部側縁をその傾斜状押さえ面に弾性的に接触させるようにしたことを特徴としている。
【００２３】
上記構成によれば、ドライブシャーシを上動させスピンドルモータによりターンテーブルを介してディスクを高速回転させる際に、押さえ片の側方に向かって所定角度で下向き外広がり状に傾斜する傾斜状押さえ面にドライブシャーシの前部側縁を弾性的に接触させており、例え傾斜状押さえ面を有する押さえ片が上方に塑性変形しても、前記傾斜状押さえ面とドライブシャーシの前部側縁との弾性的接触状態が維持されるので、そのドライブシャーシの振動を長期にわたって確実に押さえることができ、これによって、光ピックアップによるトラックの追従を精密に行わせて、例えばノイズの発生が無い高品質の画面を再生することができる。
【００２４】
また、押さえ片に若干の加工を施すだけで、傾斜状押さえ面を形成することができ、その加工に手間がかからず部品点数も増加しないから、経済的である。
【００２５】
請求項７に記載の発明は、請求項５または６に記載の発明において、前記突起部の後端面が前進方向に向かって所定角度で下向き外広がり状に傾斜する傾斜状ガイド面とされており、筐体に組み込んだドライブシャーシの前縁によりその傾斜状ガイド面を弾性的に押し上げるようにしたことを特徴としている。
【００２６】
上記構成によれば、ドライブシャーシを筐体内に組み込む際に、該ドライブシャーシの前縁により突起部の傾斜状ガイド面が弾性的に押し上げられ、該突起部がドライブシャーシの前進を阻害することがないので、そのドライブシャーシの組み込み作業を迅速容易に行うことができる。
【００２７】
請求項８に記載の発明は、請求項５に記載の発明において、前記防振機能が、突起部の下面にカム軸に対向して凹部を形成し該凹部の両内側面を上すぼまり状に傾斜させて形成した傾斜状押さえ面からなり、上動したドライブシャーシのカム軸を凹部に嵌入させて、該カム軸の外周面を両傾斜状押さえ面に接触させるようにしたことを特徴としている。
【００２８】
上記構成によれば、請求項６に記載の発明と同様の効果を得ることができ、特に、押さえ片の上すぼまり状に傾斜させた両傾斜状押さえ面に対してドライブシャーシのカム軸を弾性的に接触させており、例え押さえ片が上方に塑性変形しても、前記両傾斜状押さえ面とドライブシャーシのカム軸との弾性的接触状態が維持されるので、そのドライブシャーシの振動を長期にわたって確実に押さえることができ。
【００２９】
請求項９に記載の発明は、請求項５に記載の発明において、前記防振機能が、突起部の外周面を下すぼまりテーパ状に形成したテーパ状押さえ面と、その突起部に対向してドライブシャーシの上面に形成した嵌合孔とからなり、上動したドライブシャーシの嵌合孔を突起部のテーパ状押さえ面に嵌合させるようにしたことを特徴としている。
【００３０】
上記構成によれば、請求項６に記載の発明と同様の効果を得ることができ、特に、押さえ片のテーパ状押さえ面に対してドライブシャーシの嵌合孔を弾性的に嵌合させており、例え押さえ片が上方に塑性変形しても、前記テーパ状押さえ面と嵌合孔内周縁との弾性的接触状態が維持されるので、そのドライブシャーシの振動を長期にわたって確実に押さえることができる。
【００３１】
【発明の実施の形態】
図１から図３は本発明の第１の実施の形態を示すものであって、軸受２ａに嵌入させた両枢支軸６ａを中心に上動ｆするドライブシャーシ６の前部を押さえるための左右一対の押さえ片１４，１５が筐体２の前部に一体突設されている。なお、図１中、１６はフィードモータであって、アンローディング時にギヤ機構１７及び可動カム軸７ｃを介してカム板８を右方向ｄにスライドさせることによりドライブシャーシ６を下動ｅさせると共に、トレイ１を前進ａさせ、ローディング時にギヤ機構１７を介してトレイ１を後進ｂさせると共に、カム板８を左方向ｃにスライドさせることによりドライブシャーシ６を上動ｆさせ、光ピックアップ５をガイドレール１８に沿って前後進ａ，ｂさせる。上記以外の構成は図８及び図９に示す構成とほぼ同じであるから、同一部分に同一符号を付してその説明を省略する。
【００３２】
前記軸受２ａは、図１及び図２に示すように、筐体２に形成した後面開放の略コ字状軸受凹部２０と、該各軸受凹部２０の開口部を塞ぐ弾性片２１とからなっており、ドライブシャーシ６を筐体２内に組み込む場合には、筐体２を裏返しにした状態でドライブシャーシ６の前部を両押さえ片１４，１５上に載せると共に、両弾性片２１を弾性変形させて左右に押し広げ、ドライブシャーシ６を前進ａさせることことにより、各枢支軸６ａを各軸受凹部２０内に嵌入させると共に、各カム軸７ａ〜７ｃを各カム孔８ａに嵌入させればよい（図１参照）。
【００３３】
上記構成によれば、各軸受凹部２０の奥端面と各弾性片２１の先端とにより各枢支軸６ａが挟持されているので、スピンドルモータ４によりターンテーブル３を介してディスクＤを高速回転させる際に、ドライブシャーシ６に発生する前後進ａ，ｂ方向の振動を確実に押さえることができる。
【００３４】
前記両押さえ片１４，１５のうち、左側押さえ片１４は、図１に示すように平面視略Ｌ字状であってその根元部を中心に上下方向に弾性変位可能に形成されると共に、その先端下面に突起部２３が突設され、図４に示すように、突起部２３の内側面が左方向ｃに向かって所定角度α（例えば４５°）で下向き外広がり状に傾斜する傾斜状押さえ面（防振機能）２３ａとされ、右側押さえ片１５の下面が平坦状押さえ面１５ａされている。
【００３５】
上記構成において、両枢支軸６ａを中心にドライブシャーシ６を上動ｆさせることにより、該ドライブシャーシ６の前部両側縁６ｂ，６ｃが左側押さえ片１４の傾斜状押さえ面２３ａと右側押さえ片１５の平坦状押さえ面１５ａとにそれぞれ当接され、これにより、若干押上られた左側押さえ片１４に下向きの弾性力Ｆを発生させ、その弾性力Ｆにより傾斜状押さえ面２３ａにドライブシャーシ６の前部側縁６ｂを弾性的に接触させる。従って、図４（ａ）に仮想線で示すように、例え左側押さえ片１４が上方に塑性変形しても、傾斜状押さえ面２３ａとドライブシャーシ６の前部側縁６ｂとの弾性的接触状態が維持されるので、そのドライブシャーシ６の上下動ｅ，ｆ方向及び左右方向ｃ，ｄの振動を長期にわたって確実に押さえることができ、これによって、光ピックアップ５によるトラックの追従を精密に行わせて、例えばノイズの発生が無い高品質の画面を再生することができる。
【００３６】
図４（ｂ）（ｃ）に示すように、前記突起部２３の後端面が前進ａ方向に向かって所定角度β（例えば６５°）で下向き外広がり状に傾斜する傾斜状ガイド面２３ｂとされている。
【００３７】
上記構成において、前述したように、ドライブシャーシ６を前進ａさせて筐体２に組み込む際に、そのドライブシャーシ６の前縁６ｄにより傾斜状ガイド面２３ｂが弾性的に押し上げられ〔図４（ｂ）仮想線参照〕、突起部２３がドライブシャーシ６の前進ａを阻害することがないので、そのドライブシャーシ６の組み込み作業を迅速容易に行うことができる。
【００３８】
上記構成によれば、左側押さえ片１４に若干の加工を施すだけで、傾斜状押さえ面２３ａ及び傾斜状ガイド面２３ｂを形成することができ、その加工に手間がかからず部品点数も増加しないから、経済的である。
【００３９】
上記の第１の実施の形態では、左側押さえ片１４を弾性変形可能としてその先端に傾斜状押さえ面２３ａ及び傾斜状ガイド面２３ｂを有する突起部２３を突設したが、図５に示すように、右側押さえ片１５もその左側押さえ片１４と同様の形状にしてもよい。これによれば、第１の実施の形態と同様の効果を得ることができ、特に、両押さえ片１４，１５の傾斜状押さえ面２３ａによりドライブシャーシ６の前部を両側から挟み付けており、例え両押さえ片１４，１５が上方に塑性変形しても、前記両傾斜状押さえ面２３ａとドライブシャーシ６の前部両側縁６ｂ，６ｃとの弾性的接触状態が維持されるので、そのドライブシャーシ６の上下動ｅ，ｆ方向及び左右方向ｃ，ｄの振動を長期にわたって一層確実に押さえることができる（第２の実施の形態）。
【００４０】
図６は本発明の第３の実施の形態を示すものであって、左側押さえ片１４の突起部２３の下面に左側カム軸７ａに対向して凹部２５が形成されると共に、該凹部２５の両内側面が上すぼまり状の傾斜状押さえ面（防振機能）２５ａとされており、上動ｆするドライブシャーシ６の左側カム軸７ａを凹部２５に嵌入させて、該左側カム軸７ａの外周面を両傾斜状押さえ面２５ａに接触させるように形成した。上記以外の構成は第１の実施の形態（図１から図４参照）とほぼ同じであるから、同一部分に同一符号を付してその説明を省略する。
徴としている。
【００４１】
上記構成によれば、第１の実施の形態とほぼ同じの効果を得ることができ、特に、左側押さえ片１４の上すぼまり状に傾斜させた両傾斜状押さえ面２５ａに対してドライブシャーシ６の左側カム軸７ａを弾性的に接触させており、例え左側押さえ片１４が上方に塑性変形しても、前記両傾斜状押さえ面２５ａと左側カム軸７ａとの弾性的接触状態が維持されるので、そのドライブシャーシ６の上下動ｅ，ｆ方向及び左右方向ｃ，ｄの振動を長期にわたって確実に押さえることができる。
【００４２】
図７は本発明の第４の実施の形態を示すものであって、左側押さえ片１４の突起部２３の外周面が下すぼまりテーパ状のテーパ状押さえ面（防振機能）２６とされ、その突起部２３に対向してドライブシャーシ６の上面に嵌合孔２７が形成されており、上動ｆするドライブシャーシ６の嵌合孔２７を突起部２３に嵌入させて、該嵌合孔２７の内周縁を突起部２３のテーパ状押さえ面２６に接触させるように形成した。上記以外の構成は第１の実施の形態（図１から図４参照）とほぼ同じであるから、同一部分に同一符号を付してその説明を省略する。
【００４３】
上記構成によれば、第１の実施の形態と同様の効果を得ることができ、特に、左側押さえ片１４のテーパ状押さえ面２６に対してドライブシャーシ６の嵌合孔２７を弾性的に嵌合させており、例え左側押さえ片１４が上方に塑性変形しても、前記テーパ状押さえ面２６と嵌合孔２７の内周縁との弾性的接触状態が維持されるので、そのドライブシャーシ６の上下動ｅ，ｆ方向及び左右方向ｃ，ｄの振動を長期にわたって確実に押さえることができる。
【００４４】
【発明の効果】
請求項１に記載の発明によれば、第１の実施の形態（図１から図４参照）に示すように、ドライブシャーシを上動させスピンドルモータによりターンテーブルを介してディスクを高速回転させる際に、一方の押さえ片の側方に向かって所定角度で下向き外広がり状に傾斜する傾斜状押さえ面にドライブシャーシの前部側縁を弾性的に接触させており、例え一方の押さえ片が上方に塑性変形しても、前記傾斜状押さえ面とドライブシャーシの前部側縁との弾性的接触状態が維持されるので、そのドライブシャーシの振動を長期にわたって確実に押さえることができ、これによって、光ピックアップによるトラックの追従を精密に行わせて、例えばノイズの発生が無い高品質の画面を再生することができる。
【００４５】
また、ドライブシャーシの前縁により突起部の傾斜状ガイド面が弾性的に押し上げられ、該突起部がドライブシャーシの前進を阻害することがないので、そのドライブシャーシの組み込み作業を迅速容易に行うことができる。
【００４６】
更に、押さえ片に若干の加工を施すだけで、傾斜状押さえ面及び傾斜状ガイド面を形成することができ、その加工に手間がかからず部品点数も増加しないから、経済的である。
【００４７】
請求項２に記載の発明によれば、第２の実施の形態（図５参照）に示すように、請求項１に記載の発明と同様の効果を得ることができ、特に、両押さえ片の傾斜状押さえ面によりドライブシャーシの前部を両側から挟み付けており、例え両押さえ片が上方に塑性変形しても、前記両傾斜状押さえ面とドライブシャーシの前部両側縁との弾性的接触状態が維持されるので、そのドライブシャーシの振動を長期にわたって一層確実に押さえることができる。
【００４８】
請求項３に記載の発明によれば、第３の実施の形態（図６参照）に示すように、請求項１に記載の発明と同様の効果を得ることができ、特に、一方の押さえ片の上すぼまり状に傾斜させた両傾斜状押さえ面に対してドライブシャーシのカム軸を弾性的に接触させており、例え一方の押さえ片が上方に塑性変形しても、前記両傾斜状押さえ面とドライブシャーシのカム軸との弾性的接触状態が維持されるので、そのドライブシャーシの振動を長期にわたって確実に押さえることができる。
【００４９】
請求項４に記載の発明によれば、第４の実施の形態（図７参照）に示すように、請求項１に記載の発明と同様の効果を得ることができ、特に、一方の押さえ片のテーパ状押さえ面に対してドライブシャーシの嵌合孔を弾性的に嵌合させており、例え一方の押さえ片が上方に塑性変形しても、前記テーパ状押さえ面と嵌合孔内周縁との弾性的接触状態が維持されるので、そのドライブシャーシの振動を長期にわたって確実に押さえることができる。
【００５０】
請求項５に記載の発明によれば、ドライブシャーシを上動させスピンドルモータによりターンテーブルを介してディスクを高速回転させる際に、両押さえ片またはその一方に付加した防振機能とドライブシャーシの前部との弾性的係合状態を維持して、スピンドルモータの高速回転によるドライブシャーシの振動を長期にわたって確実に押さえることができ、これによって、光ピックアップによるトラックの追従を精密に行わせて、例えばノイズの発生が無い高品質の画面を再生することができる。
【００５１】
また、押さえ片に若干の加工を施して防振機能を付加するだけでよく、その加工に手間がかからず部品点数も増加しないから、経済的である。
【００５２】
請求項６に記載の発明によれば、ドライブシャーシを上動させスピンドルモータによりターンテーブルを介してディスクを高速回転させる際に、押さえ片の側方に向かって所定角度で下向き外広がり状に傾斜する傾斜状押さえ面にドライブシャーシの前部側縁を弾性的に接触させており、例え傾斜状押さえ面を有する押さえ片が上方に塑性変形しても、前記傾斜状押さえ面とドライブシャーシの前部側縁との弾性的接触状態が維持されるので、そのドライブシャーシの振動を長期にわたって確実に押さえることができ、これによって、光ピックアップによるトラックの追従を精密に行わせて、例えばノイズの発生が無い高品質の画面を再生することができる。
【００５３】
また、押さえ片に若干の加工を施すだけで、傾斜状押さえ面を形成することができ、その加工に手間がかからず部品点数も増加しないから、経済的である。
【００５４】
請求項７に記載の発明によれば、ドライブシャーシを筐体内に組み込む際に、該ドライブシャーシの前縁により突起部の傾斜状ガイド面が弾性的に押し上げられ、該突起部がドライブシャーシの前進を阻害することがないので、そのドライブシャーシの組み込み作業を迅速容易に行うことができる。
【００５５】
請求項８に記載の発明によれば、請求項６に記載の発明と同様の効果を得ることができ、特に、押さえ片の上すぼまり状に傾斜させた両傾斜状押さえ面に対してドライブシャーシのカム軸を弾性的に接触させており、例え押さえ片が上方に塑性変形しても、前記両傾斜状押さえ面とドライブシャーシのカム軸との弾性的接触状態が維持されるので、そのドライブシャーシの振動を長期にわたって確実に押さえることができ。
【００５６】
請求項９に記載の発明によれば、請求項６に記載の発明と同様の効果を得ることができ、特に、押さえ片のテーパ状押さえ面に対してドライブシャーシの嵌合孔を弾性的に嵌合させており、例え押さえ片が上方に塑性変形しても、前記テーパ状押さえ面と嵌合孔内周縁との弾性的接触状態が維持されるので、そのドライブシャーシの振動を長期にわたって確実に押さえることができる。
【図面の簡単な説明】
【図１】本発明の第１の実施の形態であるディスクプレーヤの水平断面図である。
【図２】同縦断面図である。
【図３】図２のＡ−Ａ矢視図である。
【図４】（ａ）は要部の横断面図、（ｂ）はＢ−Ｂ矢視図、（ｃ）は同要部の斜視図である。
【図５】本発明の第２の実施の形態であるディスクプレーヤの要部の横断面図である。
【図６】（ａ）は本発明の第３の実施の形態であるディスクプレーヤの要部の横断面図、（ｂ）はＣ−Ｃ矢視図、（ｃ）は同要部の斜視図である。
【図７】（ａ）は本発明の第４の実施の形態であるディスクプレーヤの要部の横断面図、（ｂ）はＤ−Ｄ矢視図、（ｃ）は同要部の斜視図である。
【図８】従来例を示す平面図である。
【図９】（ａ）はローディング状態の縦断面図、（ｂ）はアンローディング状態の縦断面図である。
【符号の説明】
１          トレイ
２          筐体
３          ターンテーブル
４          スピンドルモータ
５          光ピックアップ
６          ドライブシャーシ
６ａ        枢支軸
７ａ〜７ｃ  カム軸
８          カム板
８ａ        カム孔
１４        左側押さえ片（一方の押さえ片）
１５        右側押さえ片
２３        突起部
２３ａ      傾斜状押さえ面（防振機能）
２３ｂ      傾斜状ガイド面
２５        凹部
２５ａ      傾斜状押さえ面（防振機能）
２６        テーパ状押さえ面（防振機能）
２７        嵌合孔
ａ          前進
ｂ          後進
ｃ          左方向
ｄ          右方向
ｅ          下動
ｆ          上動
【図１】
2005025885.tif 000003
【図２】
2005025885.tif 000004
【図３】
2005025885.tif 000005
【図４】
2005025885.tif 000006
【図５】
2005025885.tif 000007
【図６】
2005025885.tif 000008
【図７】
2005025885.tif 000009
【図８】
2005025885.tif 000010
【図９】
2005025885.tif 000011